(57)【要約】【課題】  ニュートラルスイッチの状態と後進駆動装置の状態の組み合わせによってニュートラルインジケータの点灯を制御する車両用計器の安全性を向上させる。【解決手段】  発明の実施形態である車両用計器Ｍは、ニュートラルインジケータＬＥＤと、ニュートラルスイッチＳＷの状態を入力する第１入力信号路Ｌ１と、後進駆動装置の状態を入力する第２入力信号路Ｌ２と、ニュートラルインジケータＬＥＤの点灯回路と、点灯回路を有効／無効にさせる切替回路ＴＲと、車両が後進中のときは点灯回路を無効にし、車両が前進のときは点灯回路を有効にする制御手段Ｐと、を備える。制御手段Ｐは、複数の切替信号出力部Ｐ１，Ｐ２を有し、切替回路ＴＲは、複数の切替信号出力部Ｐ１，Ｐ２の切替信号のいずれかにより有効／無効が切り替わる。【選択図】  図１
2018069770.tif 000002
【特許請求の範囲】
【請求項１】
ニュートラルインジケータと、
ニュートラルスイッチの状態を入力する第１入力信号路と、
後進駆動装置の状態を入力する第２入力信号路と、
前記ニュートラルスイッチの状態に応じて前記ニュートラルインジケータを点灯／消灯させる点灯回路と、
前記点灯回路の有効／無効を切り替える切替回路と、
前記後進駆動装置の状態が後進中のときは前記切替回路に前記点灯回路を無効にさせて前記ニュートラルインジケータを前記ニュートラルスイッチの状態とは関係なく消灯させ、前記後進駆動装置の状態が後進中でないときは前記切替回路に前記点灯回路を有効にさせる制御手段と、を備え、
前記制御手段は、前記切替回路を有効／無効に切り替えるための切替信号を出力する複数の切替信号出力部を有し、
前記切替回路は、前記複数の切替信号出力部の切替信号のいずれかにより有効／無効が切り替えられる、
ことを特徴とする車両用計器。
【請求項２】
前記制御手段は、前記複数の切替信号出力部の少なくとも１つの出力を監視する監視部を有する、
ことを特徴とする請求項１に記載の車両用計器。
【発明の詳細な説明】
【技術分野】
【０００１】
本発明は、ニュートラルインジケータの点灯回路を有する車両用計器に関する。
【背景技術】
【０００２】
従来、自動二輪車は後進駆動装置を設けないものが主流であるが、比較的大型の自動二輪車においては駐車用途として特許文献１に開示されるような後進駆動装置を設ける場合がある。
【０００３】
この特許文献１の後進駆動装置は、エンジン始動用のセルモータを切替装置を介して駆動軸に直結し、後進時の駆動源として利用することにより、従来のエンジンの基本形態を維持しつつ後進駆動を可能とするものである。また、逆回転回路中にニュートラルスイッチが介挿されているので、セルモータの逆回転を切替装置を介して駆動軸に伝達する際には必ず変速機がニュートラルになっており、エンジンからの正回転が駆動軸に伝達されて該駆動軸の逆回転と緩衝することがないように構成されている。
【先行技術文献】
【特許文献】
【０００４】
【特許文献１】特開昭６２−１７８４３９
【発明の概要】
【発明が解決しようとする課題】
【０００５】
特許文献１の後進駆動装置の状態を表示する車両用計器においては、後進時にもニュートラルスイッチがオンとなるため、そのままニュートラルスイッチの状態を表示すると後進時にニュートラルインジケータが点灯して搭乗者に違和感を与えてしまう。
【０００６】
そのため、ニュートラルスイッチの状態とは別に後進駆動装置の状態も車両用計器に入力され、車両用計器はニュートラルスイッチの状態と後進駆動装置の状態の組み合わせによってニュートラルインジケータの点灯を制御する必要があるが、万が一、ニュートラルインジケータの点灯が正常に行えないと搭乗者はギアのニュートラル状態が把握できず運転に支障が出る虞がある。
【０００７】
本発明は、上述した課題に鑑みてなされたものであり、ニュートラルスイッチの状態と後進駆動装置の状態の組み合わせによってニュートラルインジケータの点灯を制御する車両用計器の安全性を向上させることを目的とする。
【課題を解決するための手段】
【０００８】
本発明に係る車両用計器は、
ニュートラルインジケータと、
ニュートラルスイッチの状態を入力する第１入力信号路と、
後進駆動装置の状態を入力する第２入力信号路と、
前記ニュートラルスイッチの状態に応じて前記ニュートラルインジケータを点灯／消灯させる点灯回路と、
前記点灯回路の有効／無効を切り替える切替回路と、
前記後進駆動装置の状態が後進中のときは前記切替回路に前記点灯回路を無効にさせて前記ニュートラルインジケータを前記ニュートラルスイッチの状態とは関係なく消灯させ、前記後進駆動装置の状態が後進中でないときは前記切替回路に前記点灯回路を有効にさせる制御手段と、を備え、
前記制御手段は、前記切替回路を有効／無効に切り替えるための切替信号を出力する複数の切替信号出力部を有し、
前記切替回路は、前記複数の切替信号出力部の切替信号のいずれかにより有効／無効が切り替えられる。
【０００９】
また、本発明に係る車両用計器の
前記制御手段は、前記複数の切替信号出力部の少なくとも１つの出力を監視する監視部を有する、
ように構成することが好ましい。
【発明の効果】
【００１０】
本発明によれば、ニュートラルスイッチの状態と後進駆動装置の状態の組み合わせによってニュートラルインジケータの点灯を制御する車両用計器の安全性を向上させることができる。
【図面の簡単な説明】
【００１１】
【図１】本発明の実施形態である車両用計器の電気的構成図である。
【図２】同車両用計器の入出力対応表である。（Ａ）は切替信号出力部Ｐ１による切替回路の切替を表し、（Ｂ）は切替信号出力部Ｐ２による切替回路の切替を表す。
【発明を実施するための形態】
【００１２】
本発明に係る車両用計器Ｍの実施形態を添付図面を参照して以下に説明する。
【００１３】
車両用計器Ｍは、後進駆動装置を有する大型の自動二輪自動車に搭載された車両用計器である。
車両用計器Ｍは、図１に示すように、イグニッション電源ＩＧＮと後進駆動装置制御手段ＥＣＵとニュートラルスイッチＳＷと電気的に接続しており、後進駆動装置の状態とニュートラルスイッチＳＷの状態に応じて、内蔵しているニュートラルインジケータＬＥＤを点灯させる。
【００１４】
イグニッション電源ＩＧＮは、車両のイグニッションがオンされているときにバッテリ電源を供給する電源である。
【００１５】
後進駆動制御手段ＥＣＵは、後進駆動装置を制御するコントロールユニットである。後進駆動制御手段ＥＣＵは、例えば、ＣＡＮ（コントローラエリアネットワーク）などの車載ネットワークで車両用計器Ｍと通信可能になっている。後進駆動制御手段ＥＣＵは、後進駆動装置の動作状態から車両が前進する状態にあるのか、後進する状態にあるのかを車両用計器に出力する。
【００１６】
車両用計器Ｍは、ニュートラルインジケータＬＥＤと、切替回路ＴＲと、制御手段Ｐと、点灯回路と、から主に構成される。
【００１７】
ニュートラルインジケータＬＥＤは、発光ダイオードである。
【００１８】
ニュートラルインジケータＬＥＤは、アノードが切替回路ＴＲを介してイグニッション電源ＩＧＮに接続され、カソードがダイオードＤ１とニュートラルスイッチＳＷを経由してグランドに接続されており、ニュートラルインジケータＬＥＤの点灯回路を構成している。
【００１９】
切替回路ＴＲは、例えば、ＰＮＰ型トランジスタであり、エミッタがイグニッション電源ＩＧＮに接続され、コレクタがニュートラルインジケータＬＥＤのアノードに接続されている。切替回路ＴＲは、ベースに制御手段Ｐから切替信号が入力されて、点灯回路の機能を有効／無効に切り替える。
【００２０】
点灯回路は、切替回路ＴＲにより機能が有効とされている間、ニュートラルスイッチＳＷのＯＮ／ＯＦＦに応じてニュートラルインジケータＬＥＤを点灯／消灯させる。なお、ダイオードＤ１はニュートラルインジケータＬＥＤのカソードからアノード側へ電流が逆流しないようにする整流作用を有する。
【００２１】
制御手段Ｐは、例えば、ＣＰＵとＲＯＭとＲＡＭとタイマと入出力ポートとを有するマイクロコントローラである。制御手段Ｐは、切替信号を出力する切替信号出力部Ｐ１，Ｐ２と、切替信号出力部Ｐ１の出力状態を入力して監視する監視部Ｐ３と、を有する。
【００２２】
切替信号出力部Ｐ１は、抵抗Ｒ１を介して切替回路ＴＲのベースに接続されている。抵抗Ｒ１は、切替信号出力部Ｐ１を過電流から保護する。
【００２３】
切替信号出力部Ｐ２は、ダイオードＤ２を介して抵抗Ｒ１と切替回路ＴＲのベースとの間に接続されている。ダイオードＤ２は切替信号出力部Ｐ２に向かって電流が逆流しないようにする整流作用を有する。
【００２４】
監視部Ｐ３は、抵抗Ｒ２を介して切替信号出力部Ｐ１と抵抗Ｒ１の間に接続されている。抵抗Ｒ１は、監視部Ｐ３を過電流から保護する。また、監視部Ｐ３と抵抗Ｒ２の間には、グランドに接続されたコンデンサＣ１が設けられており、監視部Ｐ３の入力の耐ノイズ性を高めている。
【００２５】
制御手段Ｐは、通常時は、切替信号出力部Ｐ１から点灯回路の機能を有効にさせる切替信号Ｈ／点灯回路の機能を無効にさせる切替信号Ｌを切替回路ＴＲに出力し、切替信号出力部Ｐ２からは切替信号Ｌを切替回路ＴＲに出力する。切替信号Ｈ，Ｌは切替信号Ｈが優先され、切替信号出力部Ｐ１の切替信号によって点灯回路の機能が有効あるいは無効に切り替わる。
【００２６】
制御手段Ｐは、通常時に、図２（Ａ）に示すように、後進駆動装置制御手段ＥＣＵから入力される後進駆動装置の動作状態が前進のときは、切替信号出力部Ｐ１から切替信号Ｈを出力して点灯回路を有効し、ニュートラルスイッチＳＷのＯＮ／ＯＦＦに応じてニュートラルインジケータＬＥＤを点灯／消灯させる。また、制御手段Ｐは、後進駆動装置制御手段ＥＣＵから入力される後進駆動装置の動作状態が後進のときは、切替信号出力部Ｐ１から切替信号Ｌを出力して点灯回路を無効にし、ニュートラルスイッチＳＷの状態にかかわらずニュートラルインジケータＬＥＤを消灯させる。
【００２７】
制御手段Ｐは、通常時に、監視部Ｐ３により切替信号出力部Ｐ１の出力状態を監視し、切替信号出力部Ｐ１から切替信号Ｈを出力させようとしているにもかかわらず切替信号Ｈが出力されていないときに、切替信号出力部Ｐ１に機能不全があったと判断する。制御手段Ｐは切替信号出力部Ｐ１に機能不全があったと判断すると、図２（Ｂ）に示すように、切替信号出力部Ｐ１に代替して切替信号出力部Ｐ２を用いて点灯回路の機能を有効あるいは無効に切り替える。
【００２８】
以上のように、本発明の実施形態である車両用計器Ｍは、ニュートラルインジケータＬＥＤと、ニュートラルスイッチＳＷの状態を入力する第１入力信号路Ｌ１と、後進駆動装置の状態を入力する第２入力信号路Ｌ２と、ニュートラルスイッチＳＷの状態に応じてニュートラルインジケータＬＥＤを点灯／消灯させる点灯回路と、点灯回路の有効／無効を切り替える切替回路ＴＲと、後進駆動装置の状態が後進中のときは切替回路ＴＲに点灯回路を無効にさせてニュートラルインジケータＬＥＤをニュートラルスイッチＳＷの状態とは関係なく消灯させ、後進駆動装置の状態が後進中でないときは切替回路ＴＲにより点灯回路を有効にさせる制御手段Ｐと、を備える。制御手段Ｐは、切替回路ＴＲを有効／無効に切り替えるための切替信号を出力する複数の切替信号出力部Ｐ１，Ｐ２を有し、切替回路ＴＲは、複数の切替信号出力部Ｐ１，Ｐ２の切替信号のいずれかにより有効／無効が切り替えられる。
このように構成することで、複数の切替信号出力部Ｐ１，Ｐ２のいずれかが機能不全に陥っても正常にニュートラルインジケータＬＥＤを点灯／消灯させることができる。
【００２９】
また、本発明の実施形態である車両用計器Ｍの制御手段Ｐは、複数の切替信号出力部Ｐ１，Ｐ２の少なくとも１つの出力を監視する監視部Ｐ３を有する。
このように構成することで、複数の切替信号出力部Ｐ１，Ｐ２のいずれかが機能不全に陥ったことを検出して適切に他方の切替信号出力部によって正常にニュートラルインジケータＬＥＤを点灯／消灯させることができる。
【００３０】
本発明は、上記の実施形態（図面の内容も含む）によって限定されず、本発明の主旨に従う範囲で、上記の実施形態に変更（構成要素の削除も含む）を加えることができる。
【符号の説明】
【００３１】
Ｍ          ：車両用計器
ＬＥＤ      ：ニュートラルインジケータ
ＴＲ        ：切替回路
Ｐ          ：制御手段
Ｐ１        ：切替信号出力部
Ｐ２        ：切替信号出力部
Ｐ３        ：監視部
ＩＧＮ      ：イグニッション電源
ＥＣＵ      ：後進駆動装置制御手段
ＳＷ        ：ニュートラルスイッチ
Ｌ１        ：第１信号路
Ｌ２        ：第２信号路
【図１】
2018069770.tif 000003
【図２】
2018069770.tif 000004